(57)【特許請求の範囲】
【請求項１】
カメラボディ；
絞を有し、カメラボディに着脱可能な撮影レンズ；
撮影レンズをカメラボディに装着した状態でロックする撮影レンズロック機構；
この撮影レンズロック機構のロック解除操作を行うロック解除ボタン；及び
プレビュースイッチのオンにより絞を設定絞り値に駆動する絞駆動機構；
を備えたプレビュー機能付き一眼レフカメラにおいて、
上記ロック解除ボタンを、撮影レンズのロック解除操作に加えてプレビュースイッチのオンオフ操作を行う共用の操作部材としたことを特徴とするプレビュー機能付き一眼レフカメラ。
【請求項２】
請求項１記載のプレビュー機能付き一眼レフカメラにおいて、上記ロック解除ボタンは二段押しボタンであるプレビュー機能付き一眼レフカメラ。
【請求項３】
請求項２記載のプレビュー機能付き一眼レフカメラにおいて、上記ロック解除ボタンは、一段目の押圧操作でプレビュースイッチをオンにし、二段目の押圧操作で撮影レンズロック機構のロック解除を行うプレビュー機能付き一眼レフカメラ。
【請求項４】
請求項１ないし３のいずれか１項記載のプレビュー機能付き一眼レフカメラにおいて、さらに、
カメラボディへの撮影レンズの装着を検知するレンズ検知手段と；
上記プレビュースイッチがオンされたとき、上記レンズ検知手段によってカメラボディに撮影レンズが装着されていることが検知されているときにのみ、絞駆動機構による絞駆動を許可するプレビュー駆動制御手段と；
を備え、
絞駆動機構による絞駆動中に、上記ロック解除ボタンを操作して撮影レンズロック機構をロック解除して撮影レンズをカメラボディから取り外したときには、レンズ検知手段が該撮影レンズ取り外しを検知し、上記プレビュー駆動制御手段がプレビュースイッチのオンに関わらず絞駆動を解除させるプレビュー機能付き一眼レフカメラ。
【請求項５】
請求項４記載のプレビュー機能付き一眼レフカメラにおいて、さらに自動合焦機構を備え、
上記ロック解除ボタンによってプレビュースイッチがオンされたとき上記プレビュー駆動制御手段は、上記レンズ検知手段により撮影レンズの装着が検知され、かつ上記自動合焦機構において合焦動作が完了していることを条件に、絞駆動機構による絞駆動を許可するプレビュー機能付き一眼レフカメラ。
【請求項６】
請求項５記載のプレビュー機能付き一眼レフカメラにおいて、上記ロック解除ボタンの押圧操作で、プレビュースイッチのオンとともに自動合焦機構による合焦動作が実行されるプレビュー機能付き一眼レフカメラ。
【発明の詳細な説明】
【０００１】
【技術分野】
本発明は、プレビュー機能を備えた一眼レフカメラに関する。
【０００２】
【従来技術及びその問題点】
撮影前に絞を設定絞り値にして露出や被写界深度を確認する、いわゆるプレビュー機能を有する一眼レフカメラにおいて、従来はプレビュー操作用のレバーなどを介して機械的に絞り込みを行っていたが、近年ではプレビュー時に電気的なスイッチ操作により絞を駆動するタイプが実用化されている。このようなタイプのプレビュー装置では、プレビュー動作を行う必要がない、あるいはプレビュー動作を行うのが望ましくない状況においてはプレビュー用の駆動機構が作動しないようにすることが望ましい。プレビューが不要あるいはプレビューを行うのに不適切な状況とは、交換レンズが正確に装着されていない、あるいは被写体に合焦していない場合などが挙げられる。
【０００３】
また、カメラの多機能化とともに操作部材の数が多くなる傾向にあるが、操作部材の増加はスペース効率や製造コストの面からは望ましくない。またカメラの操作が煩雑になるおそれがある。こうした背景から、プレビュー用の操作部材についても省スペース、低コストで、操作性よく構成することが望まれている。
【０００４】
【発明の目的】
本発明は以上の問題点に鑑みてなされたものであり、操作部材関連の部品点数を少なく抑え、低コストで操作性に優れたプレビュー機能付き一眼レフカメラを提供することを目的とする。
【０００９】
【発明の概要】
本発明のプレビュー機能付き一眼レフカメラは、カメラボディ；絞を有し、カメラボディに着脱可能な撮影レンズ；撮影レンズをカメラボディに装着した状態でロックする撮影レンズロック機構；この撮影レンズロック機構のロック解除操作を行うロック解除ボタン；及びプレビュースイッチのオンにより絞を設定絞り値に駆動する絞駆動機構；を備えたプレビュー機能付き一眼レフカメラにおいて、ロック解除ボタンを、撮影レンズのロック解除操作に加えてプレビュースイッチのオンオフ操作を行う共用の操作部材としたことを特徴とする。このように操作部材を共用化することにより、部品点数を少なく抑えて低コスト化を図ることができ、また操作の煩雑さを回避することができる。
【００１０】
ロック解除ボタンは、押し込みの各段階で異なる機能を有する二段押しボタンであることが好ましい。具体的には、ロック解除ボタンの一段目の押圧操作でプレビュースイッチをオンにし、二段目の押圧操作で撮影レンズロック機構のロック解除を行わせるとよい。
【００１１】
さらに、カメラボディへの撮影レンズの装着を検知するレンズ検知手段と；プレビュースイッチがオンされたとき、レンズ検知手段によってカメラボディに撮影レンズが装着されていることが検知されているときにのみ、絞駆動機構による絞駆動を許可するプレビュー駆動制御手段と；を備え、絞駆動機構による絞駆動中に、上記ロック解除ボタンを操作して撮影レンズロック機構をロック解除して撮影レンズをカメラボディから取り外したときには、レンズ検知手段が該撮影レンズ取り外しを検知し、プレビュー駆動制御手段がプレビュースイッチのオンに関わらず絞駆動を解除させることが好ましい。
【００１２】
さらに自動合焦機構を備える場合、ロック解除ボタンによってプレビュースイッチがオンされたときプレビュー駆動制御手段は、レンズ検知手段により撮影レンズの装着が検知され、かつ自動合焦機構において合焦動作が完了していることを条件に、絞駆動機構による絞駆動を許可することが好ましい。
【００１３】
また、ロック解除ボタンの押圧操作で、プレビュースイッチのオンとともに自動合焦機構による合焦動作が実行されるように構成してもよい。
【００１４】
【発明の実施の形態】
以下、本発明を適用したプレビュー機能付き一眼レフカメラの一実施形態を説明する。図１に概略を示す一眼レフカメラ１０は、カメラボディ１１と交換式の撮影レンズ鏡筒１２から構成される。撮影レンズ鏡筒１２をカメラボディ１１に装着した状態では、撮影レンズ１３の撮影光軸Ｏに沿ってカメラボディ１１のミラーボックス１４内に入射する光束は、その大半がメインミラー１５で上方に反射されて焦点板１６に結像し、ペンタプリズム１７及び接眼レンズ１８を介して観察される。メインミラー１５は回動することにより図１に示す光路上の位置から上方へ退避可能であり、メインミラー１５を退避させた状態で該メインミラー１５の背後に設けたフォーカルプレーンシャッタ機構（不図示）を動作させることによりフィルム（不図示）を露光させることができる。カメラボディ１１は、このシャッタ機構を駆動させるためのシャッタレリーズスイッチ２６を備える。
【００１５】
一方、メインミラー１５が光路上に位置するときに、撮影レンズ１３を通った光束の一部は、該メインミラー１５を透過してサブミラー１９によって下方に反射され、ミラーボックス１４外に出る。この下方位置にはＡＦセンサ２０が設置されており、被写体のデフォーカス量を検出することができる。カメラボディ１１内にはＡＦモータ２１が設けられ、ギヤ列２２を介して凸型のＡＦカプラー２３を回転駆動させることができる。撮影レンズ鏡筒１２側には、カメラボディ１１へ装着したときにＡＦカプラー２３に係合する凹型のＡＦカプラー２４が設けられ、該係合状態でＡＦモータ２１を駆動すると、ＡＦカプラー２３を介してＡＦカプラー２４が回転される。ＡＦカプラー２４にはギヤ列２５が接続しており、このギヤ列２５が回転駆動されると、撮影レンズ１３の一部または全部を構成するフォーカスレンズ（群）が撮影光軸Ｏに沿って進退移動され、焦点位置を変化させることができる。つまり、ＡＦモータ２１を適宜駆動すれば合焦動作を行うことができる。ＣＰＵ３０は、前述のＡＦセンサ２０から入力されるデフォーカスデータに基づいて、デフォーカス量をゼロにするために必要なＡＦモータ２１の駆動量（ＡＦカプラー２３の回転角）を演算し、ＡＦモータ２１を駆動制御する。これによりフォーカスレンズが移動されて合焦動作が行われる。また、ペンタプリズム１７近傍には測光センサ２８が配されている。カメラボディ１１は測光測距スイッチ２７を備えており、この測光測距スイッチ２７をオンすることにより、上記の合焦動作と、測光センサ２８による測光が行われる。
【００１６】
ＣＰＵ３０はまた、絞駆動機構３３を駆動制御する。絞駆動機構３３はカメラボディ１１に設けた絞連動桿３４を駆動するもので、撮影レンズ鏡筒１２をカメラボディ１１に装着した状態では、この絞連動桿３４がレンズ側の絞駆動桿３５に係合する。絞駆動桿３５は、撮影レンズ鏡筒１２内に設けた絞（不図示）を開閉駆動するための絞機構３６の一部を構成している。絞機構３６には、絞り込み方向への付勢力を有する絞り込みばね（不図示）が設けられている。
【００１７】
撮影レンズ鏡筒１２をカメラボディ１１に装着した状態ではさらに、カメラボディ１１と撮影レンズ鏡筒１２にそれぞれ設けた情報伝達ピン３８、３９が互いに接触し、レンズＲＯＭ４０に格納された情報がＣＰＵ３０に入力される。レンズＲＯＭ４０に格納されている情報は、例えば撮影レンズ１３の開放Ｆ値などであり、この情報をＣＰＵ３０が露出制御などに利用する。
【００１８】
図２はカメラボディ１１の正面外観を表し、該カメラボディ１１の略中央には撮影レンズ鏡筒１２を着脱するためのマウント環４１が設けられ、このマウント環４１の内周側には、ミラーボックス１４と連通するボディ開口４２が形成されている。マウント環４１は環状のボディ側マウント面４３を有し、このボディ側マウント面４３上には、前述した複数の情報伝達ピン３８が露出しており、さらにＡＦカプラー２３を進退させるためのＡＦカプラー進退孔４１ａとレンズロックピン４４を進退させるためのロックピン進退孔４１ｂが形成されている。レンズロックピン４４はロックピン付勢ばね４５（図８）により、ＡＦカプラー２３はＡＦカプラー付勢ばね４６（図１）により、それぞれがボディ側マウント面４３から突出する方向に付勢されている。また、カメラボディ１１の上部にはシャッタレリーズボタン２９が設けられている。このシャッタレリーズボタン２９は、二段押しボタンとして構成されており、一段押しで測光測距スイッチ２７（図１）をオンにし、二段押しでシャッタレリーズスイッチ２６（図１）をオンにする。
【００１９】
図３及び図４は撮影レンズ鏡筒１２の外観を表している。撮影レンズ鏡筒１２は、後端側にマウント環４７を備え、該マウント環４７にはボディ側マウント面４３に対応するレンズ側マウント面４８が形成されている。このレンズ側マウント面４８上には、カメラボディ１１側のＡＦカプラー２３、情報伝達ピン３８及びレンズロックピン４４に位置を対応させて、ＡＦカプラー２４、情報伝達ピン３９及びロック孔４９が設けられている。ロック孔４９には、カメラボディ１１側のレンズロックピン４４が係合可能である。
【００２０】
また図２に示すように、ミラーボックス１４内には、前述の絞連動桿３４がカメラの上下方向に移動可能に支持されている。絞連動桿３４は、カメラ下側に向けて図示しないばねにより移動付勢されており、絞駆動機構３３により、このばね付勢力に抗して図中上方に移動させることができる。一方、図３に示すように、撮影レンズ鏡筒１２の後端においてレンズ側マウント面４８よりも内周側には、前述の絞駆動桿３５が設けられている。絞駆動桿３５は、周孔５０に沿って撮影光軸Ｏを中心として移動可能であり、周方向へ移動操作することによって絞機構３６が駆動されて絞を開閉させる。絞駆動桿３５は、絞機構３６に設けた前述の絞り込みばね（不図示）により、絞り込み方向（図３の反時計方向）へ移動付勢されている。
【００２１】
撮影レンズ鏡筒１２はさらに、手動絞り値設定用の絞操作環５１を備えている。絞操作環５１は絞機構３６に連動しており、回転させることにより絞駆動桿３５を移動させると共に絞を開閉駆動させることができる。絞機構３６には、絞操作環５１で設定した絞り値に応じて、該設定値以上の絞り込み動作を規制する図示しないストッパが内蔵されている。
【００２２】
撮影レンズ鏡筒１２は次のようにカメラボディ１１に装着される。図５及び図６に示すように、マウント環４１の内周側には、３つのボディ側係合爪６０が周方向へ略等間隔で設けられている。一方、撮影レンズ鏡筒１２には、この３つのボディ側係合爪６０の間に進入することが可能な３つのレンズ側係合爪６１が設けられている。図５は、カメラボディ１１に対して撮影レンズ１３の光軸方向に撮影レンズ鏡筒１２を直進移動させて、レンズ側係合爪６１をボディ側係合爪６０の間に進入させた状態を二点鎖線で示している。このとき、レンズ側マウント面４８はボディ側マウント面４３に当接しており、ボディ側マウント面４３から突出する方向に付勢されたＡＦカプラー２３とレンズロックピン４４は、レンズ側マウント面４８によってカメラボディ内方に向けて押し込まれてマウント環４１内に退避している。この互いのマウント面の当接状態（図５）から撮影レンズ鏡筒１２を時計方向に一定角度回動させることにより、各レンズ側係合爪６１が各ボディ側係合爪６０の背面側（カメラボディ内部側）に移動して、撮影レンズ鏡筒１２がカメラボディ１１に対して光軸方向に抜け止めされる。このように撮影レンズ鏡筒１２を一定角度回転すると、撮影レンズ鏡筒１２側のロック孔４９とレンズロックピン４４の回転位置が一致した時点で該レンズロックピン４４が突出してロック孔４９に係合する。この係合により、各レンズ側係合爪６１が各ボディ側係合爪６０の背面側に位置する回転位置で撮影レンズ鏡筒１２が固定され、撮影レンズ鏡筒１２はカメラボディ１１に対して周方向にも光軸方向にも移動しないようにロックされる。つまり撮影レンズ鏡筒１２は、各レンズ側係合爪６１が各ボディ側係合爪６０の間に進入可能な回転位置が、カメラボディ１１に対して着脱可能なアンロック位置であり、各レンズ側係合爪６１が各ボディ側係合爪６０の背面側に位置し、かつロック孔４９とレンズロックピン４４が係合する回転位置がロック位置である。この撮影レンズ鏡筒１２のロック位置では、ＡＦカプラー２３が突出してＡＦカプラー２４と係合し、各情報伝達ピン３８も各情報伝達ピン３９に接触する。
【００２３】
カメラボディ１１内には、撮影レンズ鏡筒１２の装着を検知するためのレンズ検知スイッチ６２が設けられている。このレンズ検知スイッチ６２は、自由状態では互いに離間する一対の弾性スイッチ接片６２ａ、６２ｂを有しており、一方の弾性スイッチ接片６２ａの一部が山形に屈曲されて、該屈曲部分が、一つのボディ側係合爪６０の背面側位置に突出されている。前述の要領でカメラボディ１１に撮影レンズ鏡筒１２を装着すると、ロック位置まで回転させた撮影レンズ鏡筒１２のレンズ側係合爪６１が弾性スイッチ接片６２ａの山形部分に接触し、これを押し込む。すると、図６に二点鎖線で示すように弾性スイッチ接片６２ａが弾性変形して弾性スイッチ接片６２ｂに接触して導通され、撮影レンズ鏡筒１２が装着されたことを検知することができる。
【００２４】
撮影レンズ鏡筒１２の装着に際してレンズ側係合爪６１をボディ側係合爪６０の間に進入させたとき、絞駆動桿３５は図２に一点鎖線で示す位置にあり、該進入位置からロック位置へ向けて（図２の時計方向）に撮影レンズ鏡筒１２を回転させると絞駆動桿３５が絞連動桿３４に当接する。前述したように絞駆動桿３５は絞り込み方向（図２では時計方向）にばね付勢され、絞連動桿３４は図２の下方、すなわち絞開放方向にばね付勢されており、絞駆動桿３５が絞連動桿３４に当接した時点で両付勢ばねの付勢方向は略反対となるが、絞連動桿３４の付勢ばねの力の方が強く設定されている。従って、絞駆動桿３５が絞連動桿３４に当接した時点からさらにロック位置へ向けて撮影レンズ鏡筒１２を時計方向に回転すると、絞駆動桿３５は同時計方向への移動を規制されるため、撮影レンズ鏡筒１２（絞機構３６）に対して相対的に絞開放方向に移動されることになり、撮影レンズ鏡筒１２をロック位置まで回転したときには絞は開放される。
【００２５】
続いて図７以下を参照して本発明の要部に係る構成及び制御を説明する。カメラボディ１１においてマウント環４１の外側には、ロック解除ボタン（共用操作部材）７０が設けられている。このロック解除ボタン７０は、外観に露出する操作部７１とカメラボディ内に延出されたガイド軸７２を有し、ガイド軸７２は、カメラボディ１１内の固定部に形成したガイド孔７３に移動可能に嵌まるとともに、抜け止めリング７４により抜け止めされている。操作部７１の下面側とカメラボディ１１内の固定部との間にはボタン付勢ばね９０（図８）が配されており、該付勢ばね９０によってロック解除ボタン７０はカメラボディ１１から突出する方向（抜け止めリング７４により規制される最大突出位置）に移動付勢されている。
【００２６】
レンズロックピン４４は、ロックピン支持部材７５の一端部であるピン支持部７５ａに支持されている。ロックピン支持部材７５はこのピン支持部７５ａからカメラボディ内方へ曲折され、他端部の被押圧部７５ｂに、上記ロック解除ボタン７０のガイド軸７２と略平行なガイド軸７６が固定されている。ガイド軸７６は、カメラボディ１１内の固定部材７７に形成したガイド孔７８に対して軸線方向に移動可能に嵌まっている。この構成により、ガイド軸７６とロックピン支持部材７５を介して、レンズロックピン４４は、ボディ側マウント面４３から突出してレンズ側のロック孔４９と係合可能な係合位置（図８に実線で示す）と、ロックピン進退孔４１ｂ内に収納される非係合位置（同図に二点鎖線で示す）とに移動可能に支持されている。固定部材７７と被押圧部７５ｂの間には前述したロックピン付勢ばね４５が配されていて、レンズロックピン４４を突出方向に付勢している。レンズロックピン４４の下部には、ロックピン進退孔４１ｂよりも大径のストッパ部４４ａが一体に形成されており、このストッパ部４４ａがマウント環４１の内面側に当接することにより、ボディ側マウント面４３からのレンズロックピン４４の最大突出位置が決められている。
【００２７】
また、ロック解除ボタン７０の近傍にはプレビュースイッチ８０が配設されている。このプレビュースイッチ８０は、自由状態で接触する一対の弾性スイッチ接片８１、８２を備えており、下側の弾性スイッチ接片８２の先端が操作部７１の下面側に臨んで位置されている。プレビュースイッチ８０は、弾性スイッチ接片８１と弾性スイッチ接片８２の導通接触が解除されるとスイッチオンとしてＣＰＵ３０に認識される。
【００２８】
以上の構成から、非操作（非押圧）状態ではロック解除ボタン７０は、ボタン付勢ばね９０によって図８に実線で示す突出位置に保持される。この非操作状態では、プレビュースイッチ８０は弾性スイッチ接片８１、８２が接触するスイッチオフ状態にあり、レンズロックピン４４はロックピン付勢ばね４５の付勢力により係合位置に保持される。ここで、ボタン付勢ばね９０に抗してロック解除ボタン７０をガイド軸７２の軸線方向に若干押し込むと、操作部７１の下面が弾性スイッチ接片８２の先端を押圧し、弾性スイッチ接片８２がカメラボディ内方に向けて弾性変形して弾性スイッチ接片８１と弾性スイッチ接片８２が離間する。これによりプレビュースイッチ８０がオンになり、ＣＰＵ３０はプレビュー動作に関する制御を行う。この制御については後述する。なお、この一段押しの段階では、ガイド軸７２はロックピン支持部材７５の被押圧部７５ｂを押し込んでいない。
【００２９】
ロック解除ボタン７０をさらに押し込むと、ガイド軸７２の先端が被押圧部７５ｂを押圧し、ロックピン付勢ばね４５の付勢力に抗して、ロックピン支持部材７５がガイド軸７６に沿って下方に移動される。図８では、ガイド軸７６の右半分を非押圧状態、左半分をロック解除ボタン７０による押圧状態として表している。ロックピン支持部材７５が下方に移動されると、レンズロックピン４４は、その先端がボディ側マウント面４３と略面一となる非係合位置まで退避してロックピン進退孔４１ｂ内に収納される。なお、図示しないが、レンズロックピン４４を非係合位置に移動させるようにロック解除ボタン７０を二段押ししたとき、該押圧操作によりＡＦカプラー２３もマウント環４１内に収納させる連動機構が設けられている。
【００３０】
従って、レンズロック状態において、ロック解除ボタン７０を二段目まで押し込んでロック解除し、各レンズ側係合爪６１が各ボディ側係合爪６０の間に位置するアンロック位置まで撮影レンズ鏡筒１２を回転させれば、該撮影レンズ鏡筒１２をカメラボディ１１から取り外すことができる。このロック解除ボタン７０の押圧によるロック解除動作の間、プレビュースイッチ８０はスイッチオン状態（弾性スイッチ接片８１、８２が離間している）が維持される。つまり、ロック解除ボタン７０は二段押圧式の操作部材となっており、一段押しするとプレビュースイッチ８０がオンになり、二段押しするとさらにレンズロックピン４４をロック解除（非係合）位置に移動させることができる。押し込みを解除すれば、ロック解除ボタン７０はボタン付勢ばね９０によって図８の突出位置に復帰し、プレビュースイッチ８０はオフになる。
【００３１】
以上の一眼レフカメラ１０の動作を、図９から図１１のフローチャートを参照して説明する。図９は、カメラボディ１１に撮影レンズ鏡筒１２が適切に装着されているかを検出するためのルーチンであり、カメラのメインスイッチ（不図示）がオンであるときに、前述のレンズ検知スイッチ６２がオンであるか否か、あるいは情報伝達ピン３８、３９間の情報通信が行われているか否かを検出する（ステップＳ１）。このステップＳ１で、レンズ検知スイッチ６２のオンまたは情報伝達ピン３８、３９間の通信が検出されれば、撮影レンズ鏡筒１２がカメラボディ１１に装着されていると判断できるので、撮影レンズ鏡筒１２の装着を表すＫ１＝０がセットされ（Ｓ２）、撮影待機状態となる（Ｓ３）。撮影レンズ鏡筒１２の装着した状態では、レンズロックピン４４が係合位置に突出してロック孔４９に係合し、またＡＦカプラー２３、２４も係合している。なお、本実施形態ではレンズ検知スイッチ６２と情報伝達ピン３８、３９の両方でレンズ装着状態を検知できるようになっているが、いずれか一方のみを備える態様であってもレンズ装着を検知することが可能である。
【００３２】
図１０は、撮影準備動作に関するルーチンを表しており、ステップＳ４においてシャッタレリーズボタン２９を一段押しして測光測距スイッチ２７がオンされると、ＡＦセンサ２０とＣＰＵ３０により被写体に関するデフォーカス量が検出、演算され（Ｓ５）、合焦に必要なＡＦモータ２１の駆動量が設定される（Ｓ６）。これに基づき、ＡＦモータ２１を駆動して、フォーカスレンズを合焦位置まで移動させる（Ｓ７）。続くステップＳ８で合焦が確認されると、測光演算をして露出値をセットした上で（Ｓ９、Ｓ１０）、合焦完了（レリーズ許可）を表すＫ２＝０がセットされる（Ｓ１１）。ステップＳ１２で測光測距スイッチ２７がオフになると、このＫ２の値はクリアされる（Ｓ１３）。なお、本実施形態の一眼レフカメラ１０では、シャッタレリーズボタン２９の一段押し状態を解除すると測光測距スイッチ２７がオフになるものとするが、該一段押しを解除しても測光測距スイッチ２７がオフにならないようなスイッチロック機能を別設してもよい。
【００３３】
図１１は、プレビュー操作のルーチンを表す。ステップＳ１４でロック解除ボタン７０の操作（一段押し）によるプレビュースイッチ８０のオンが検出されると、Ｐ１＝０をセットしてプレビュースイッチのオンを記録する（Ｓ１５）。続いて、撮影レンズ鏡筒１２が適切に装着されている否かを前述のＫ１＝０のフラグの有無でチェックし（Ｓ１６）、撮影レンズ鏡筒１２が適切に装着されていれば、続いてレリーズ許可（合焦完了）が出ている否かを前述のＫ２＝０のフラグの有無でチェックする（Ｓ１７）。ここでレリーズ許可が出ていなければ、プレビュー動作を実行せずにステップＳ１４のプレビュースイッチ入力待ちの状態に戻る。
【００３４】
ステップＳ１７でレリーズ許可状態にあれば、ステップＳ１０で設定された露出値に応じた絞り値となるように絞駆動機構３３を駆動制御し、レンズ側の絞を絞り込んでプレビュー動作を実行する（Ｓ１８）。このプレビュー動作は具体的には、レンズ装着時の常態である絞開放状態から、絞駆動機構３３がばね付勢力に抗して絞連動桿３４を設定絞り値に応じて図２の上方に移動させ、この絞連動桿３４の移動量（退避量）に応じた分だけ絞駆動桿３５が絞り込み方向（図２の時計方向）に移動可能となり、レンズ側の絞機構３６に設けた絞り込みばねによって、絞が開放位置から設定値まで絞り込まれる。つまり、絞連動桿３４の移動量を制御すれば絞り値を制御することができる。
【００３５】
なお、上記の動作は絞り値をカメラが自動設定した場合のものであり、レンズ側の絞操作環５１によって手動で絞り値を決定することも可能である。前述したように絞機構３６には、絞操作環５１で設定した絞り値に応じて、該設定値以上の絞り込み動作を規制するストッパ（不図示）が内蔵されており、手動で絞りを設定した場合は、ステップＳ１８において絞連動桿３４が設定絞り値に関係なく図２中の最も上方（最大絞り込み許可位置）まで退避される。そして、絞機構３６は、内蔵ストッパに係止される設定絞り値まで、絞り込みばねの付勢力によって絞り込みを行う。
【００３６】
但し、ステップＳ１８のプレビュー動作は、絞り値の自動設定と手動設定に関わらず、絞連動桿３４が絞り込み許可方向（図２の上方）に退避することで実行される点は同じである。よって、ステップＳ１８では、ステップＳ１６、Ｓ１７でのチェックを満たさない状態では絞連動桿３４を駆動させないように制御するのみでよい。
【００３７】
ステップＳ１８でプレビュー動作が実行されると、プレビュー動作実行済を表すＰ２＝０をセットし（Ｓ１９）。この後のステップＳ２０でプレビュースイッチ８０が引き続きオン状態にあれば、先のステップＳ１６に戻り、プレビューを行うべき状態であるか否かをステップＳ１６、Ｓ１７でチェックしながらプレビューを続行する。一方、ステップＳ２０でプレビュースイッチ８０がオフされれば、絞駆動機構３３による絞り込み許可方向への絞連動桿３４の駆動を停止してプレビュー動作を解除する（Ｓ２１）。そしてステップＳ２２で、プレビュー動作解除後に前述のＰ１（プレビュースイッチオンを記録）とＰ２（プレビュー動作実行を記録）の値をクリアしてプレビューのシーケンスを終了する。
【００３８】
本実施形態の一眼レフカメラ１０は、ロック解除ボタン７０は撮影レンズ鏡筒１２のロック解除用の操作部材とプレビュースイッチ８０の操作部材を兼ねているため、レンズロック解除の目的でロック解除ボタン７０を押圧操作した際にもプレビュースイッチ８０のオン動作を伴う。図１１のプレビューシーケンスでは、このような場合にも対応できる。
【００３９】
ロック解除ボタン７０を二段押ししてレンズロックピン４４を非係合位置に収納してから撮影レンズ鏡筒１２をアンロック方向に一定角度回転させると、情報伝達ピン３８、３９の接触が外れ、またレンズ検知スイッチ６２がオフになる。つまり、先のステップＳ１５でプレビュースイッチ８０のオンを記録した後、さらにステップＳ１６において撮影レンズ鏡筒１２の取り外し状態（Ｋ１≠０）が検知されれば、このときのロック解除ボタン７０の押圧操作は、基本的には撮影レンズ鏡筒１２のロック解除用の操作であるから、ステップＳ１６で撮影レンズ鏡筒１２の取り外しが検知されると、ステップＳ１８のプレビュー動作を実行することなくステップＳ２３に入る。
【００４０】
なお、ロック解除ボタン７０の押圧操作がロック解除を意図したものである場合でも、撮影レンズ鏡筒１２の取り外しに一定以上の時間がかかれば、ステップＳ１６において該レンズ取り外しが検知される前に次のステップＳ１７に進む。前述したように、次のステップＳ１７ではシャッタレリーズ許可（合焦完了）の有無をチェックし、レリーズ許可すなわちＫ２＝０の状態になければ、プレビュー動作を実行せずに待機状態に復帰する。撮影レンズを取り外すときは一般に、合焦動作など撮影準備に関する操作を同時に行わない。従って、ステップＳ１６におけるレンズ取り外しの検知が遅れても、ステップＳ１７において、ロック解除ボタン７０の押圧操作がプレビューを意図したボタン操作であるかをもう一度チェックすることができる。言い方を変えれば、ステップＳ１７でのチェックは、プレビューを行う意図があってロック解除ボタン７０を操作したときには、非合焦状態というプレビューにとって不適切な状況でのプレビュー動作を規制するが、さらにプレビューを行う意図がなくてロック解除ボタン７０を操作したときには、該操作がプレビュー動作を意図していないということを確認するための作用も有している。
【００４１】
さらに、プレビュー動作を行うためにロック解除ボタン７０を操作し、そのままロック解除ボタン７０を押し込んでレンズロック解除動作を行う場合も考えられる。この場合、ステップＳ２０までのプレビュー動作処理を行った後にステップＳ１６でレンズ取り外しが検知され、ステップ２３に入る。
【００４２】
撮影レンズ鏡筒１２の取り外しが検知されて入るステップＳ２３では、プレビュー動作が実行されているか否かをＰ２＝０のフラグの有無で判断する。ここで、プレビュー動作実行の記録がなければ、ステップＳ１８におけるプレビュー動作が行われる前に撮影レンズ鏡筒１２が取り外されたということなので、プレビュー動作を解除する必要がなく、そのまま待機状態に戻る。一方、ステップＳ２３でプレビュー動作実行の記録があれば、該プレビュー動作を解除する必要があるので、先のステップＳ２１に入って絞駆動機構３３による絞連動桿３４の駆動を解除し、絞機構３６を初期状態に復帰させる。つまり、撮影レンズ鏡筒１２を取り外したときは、プレビュースイッチ８０のオンに関わらず、プレビュー動作が解除されるようになっている。
【００４３】
以上説明した一眼レフカメラ１０では、ステップＳ１６において撮影レンズ鏡筒１２が適切に装着されている場合にのみプレビュー動作を許可（実行）するようにしたので、絞駆動機構の不要かつ不適切な動作を防止することができる。また、撮影レンズ鏡筒１２の取り外し時には、実行中のプレビュー動作を解除するようにしたので、不要なプレビュー動作の継続を防ぐことができる。さらに、ステップＳ１７において合焦完了した場合にのみプレビュー動作が行われるようにチェックするので、アウトフォーカス状態でのプレビュー動作を回避できる。
【００４４】
そして、一眼レフカメラ１０では、ロック解除ボタン７０をプレビュー用とレンズロック解除用の共用操作部材にすることによって、操作部材に関する部品点数及びその占有スペースを少なく抑えることができ、製造コストの削減やスペース効率の向上を図ることができる。また、操作部材が少なければ操作が煩雑になりにくい。特に実施形態では、レンズ装着とレリーズ許可（合焦完了）の両条件を満たす場合にのみプレビュー動作が生じるようにし、さらにレンズ非装着状態ではプレビュー動作の有無を判断してプレビュー動作が実行されている場合には該プレビュー動作を解除するようにしたので、レンズのロック解除を行う目的でロック解除ボタン７０を押圧操作した場合における、不要なプレビュー動作の発生（継続）を防ぐことができる。
【００４５】
但し、本発明は以上の実施形態に限定されるものではない。例えば操作性の観点から、プレビュー時にロック解除ボタン７０とシャッタレリーズボタン２９を同時に操作しにくい場合には、ロック解除ボタン７０の押圧操作（一段押し）に応じて、プレビュースイッチ８０のオンと共に測光測距スイッチ（２７）がオンされるように構成してもよい。この場合のプレビュー操作処理を図１２のフローチャートに示す。同図の処理は、ステップＳ１７でレリーズ許可が検出されないときに、測光測距スイッチのオンを受けてステップＳ２４〜Ｓ３０で撮影準備動作（合焦及び露出制御）を実行する点が図１１の処理とは異なっており、その他は図１１と共通している。ステップＳ２４〜Ｓ３０は、先に説明した図１０のステップＳ５〜Ｓ１１までの処理と同様であり、合焦完了してレリーズ許可状態になるとＫ２＝０がセットされる。そして、この撮影準備動作が終了した後もロック解除ボタン７０を押圧（一段押し）してプレビュースイッチ８０をオンさせていれば、ステップＳ１７でＫ２＝０が検出され、ステップＳ１８のプレビュー動作に入ることができる。すなわち、ロック解除ボタン７０によりプレビュースイッチ８０と共に測光測距スイッチ（２７）をオンさせるように構成した上で図１２のように処理すれば、プレビュー時にはロック解除ボタン７０のみを操作すれば済み、操作性に優れる。なお、図１２の処理においても、ステップＳ１６において撮影レンズ鏡筒１２が適切に装着されている場合にのみプレビュー動作を許可するようにチェックするので、絞駆動機構の不要かつ不適切な動作を防止できるし、ステップＳ１７において合焦完了した場合にのみプレビュー動作が行われるようにチェックするので、アウトフォーカス状態でのプレビュー動作を回避できる。また、撮影レンズ鏡筒１２の取り外し時には、実行中のプレビュー動作を解除する（Ｓ２１）ので、不要なプレビュー動作の継続を防ぐことができる。
【００４６】
また、実施形態ではプレビュースイッチ８０を自由状態で導通する一対の弾性スイッチ接片８１、８２としたが、ロック解除ボタンによりオンオフ操作できるものであれば、異なるタイプのスイッチであってもよい。
【００４７】
また、実施形態ではレンズ側の絞機構３６を絞り込み方向に付勢する常閉タイプとし、カメラボディ側の絞駆動機構３３を用いてその絞り込みを制御するものとしたが、絞機構や絞駆動機構の形態は、本発明を適用できるものであれば実施形態のタイプに限定されないことはもちろんである。
【００４８】
【発明の効果】
以上から本発明によれば、操作部材の部品点数の増加を伴わず、低コストで操作性に優れたプレビュー機能付き一眼レフカメラを提供することができる。
【図面の簡単な説明】
【図１】本発明を適用したプレビュー機能付き一眼レフカメラの一実施形態の概略を示す図である。
【図２】一眼レフカメラのカメラボディの正面図である。
【図３】撮影レンズ鏡筒をマウント部側から見た図である。
【図４】撮影レンズ鏡筒の側面図である。
【図５】カメラボディに対する撮影レンズ鏡筒の装着構造を説明するための図である。
【図６】図５の装着構造において、レンズ検知スイッチ付近を拡大して表す図である。
【図７】レンズロックピンとプレビュースイッチを操作するためのロック解除ボタン付近の平面図である。
【図８】図７のロック解除ボタン付近の断面図である。
【図９】撮影レンズ装着を検出する処理を示すフローチャート図である。
【図１０】撮影準備処理を示すフローチャート図である。
【図１１】プレビューに関する処理を示すフローチャート図である。
【図１２】ロック解除ボタンの押圧操作でプレビュースイッチと共に測光測距スイッチをオンさせる場合のプレビュー処理を表すフローチャート図である。
【符号の説明】
１０  一眼レフカメラ
１１  カメラボディ
１２  撮影レンズ鏡筒
２０  ＡＦセンサ
２１  ＡＦモータ
２３  ２４  ＡＦカプラー
２６  シャッタレリーズスイッチ
２７  測光測距スイッチ
２８  測光センサ
２９  シャッタレリーズボタン
３０  ＣＰＵ
３３  絞駆動機構
３４  絞連動桿（カメラボディ側）
３５  絞駆動桿（レンズ側）
３６  絞機構
３８  ３９  情報伝達ピン
４１  ４７  マウント環
４４  レンズロックピン
４４ａ  ストッパ部
４５  ロックピン付勢ばね
４９  ロック孔
６０  ボディ側係合爪
６１  レンズ側係合爪
６２  レンズ検知スイッチ
７０  ロック解除ボタン（共用操作部材）
７１  操作部
７２  ガイド軸
７５  ロックピン支持部材
７５ａ  ピン支持部
７５ｂ  被押圧部
８０  プレビュースイッチ
８１  ８２  弾性スイッチ接片
９０  ボタン付勢ばね
【図１】
0004312876.tif 000002
【図２】
0004312876.tif 000003
【図３】
0004312876.tif 000004
【図４】
0004312876.tif 000005
【図５】
0004312876.tif 000006
【図６】
0004312876.tif 000007
【図７】
0004312876.tif 000008
【図８】
0004312876.tif 000009
【図９】
0004312876.tif 000010
【図１０】
0004312876.tif 000011
【図１１】
0004312876.tif 000012
【図１２】
0004312876.tif 000013